(57)【要約】【課題】全体が一体に作られており、面ファスナーなどの付着手段が存在せず、身体に対する装着が容易に行なえるようにした肩用サポーターを提供する。【解決手段】よこ編により編地の緯方向に弾性糸が挿入されて編成してなる肩用サポーターであって、この肩用サポーター１は身体の一方の肩を覆う肩覆い部２と、この肩覆い部２の側部に隣接して形成され前記一方の肩に繋がる腕を挿通させる腕通し部３と、前記肩覆い部２および腕通し部３の下側に隣接して形成され一方の脇からそのすぐ下側部分を覆う脇覆い部４と、この脇覆い部４の下端と同レベルで他方の脇のすぐ下側部分の下端のみを覆うように形成された脇当て部５とを備え、脇覆い部４の下端とそれに繋がる脇当て部５とで下端がほぼ水平に筒状に開口し、他方の脇側の脇当て部５と前記肩覆い部２との間で斜めに筒状に開口している。【選択図】図１
0003122704.tif 000002
【実用新案登録請求の範囲】
【請求項１】
よこ編により編地の緯方向に弾性糸が挿入されて編成してなる肩用サポーターであって、この肩用サポーターは身体の一方の肩を覆う肩覆い部と、この肩覆い部の側部に隣接して形成され前記一方の肩に繋がる腕を挿通させる腕通し部と、前記肩覆い部および腕通し部の下側に隣接して形成され一方の脇からそのすぐ下側部分を覆う脇覆い部と、この脇覆い部の下端と同レベルで他方の脇のすぐ下側部分の下端のみを覆うように形成された脇当て部とを備え、脇覆い部の下端とそれに繋がる脇当て部とで下端がほぼ水平に筒状に開口し、他方の脇側の脇当て部と前記肩覆い部との間で斜めに筒状に開口していることを特徴とする肩用サポーター。
【請求項２】
襟と脇を結ぶ線上で縫着されており、この縫着部を境に下側は弾性糸が挿入された編地の緯方向が水平に向き、また縫着部を境に上側は弾性糸が挿入された編地の緯方向が上下に向くように作られていることを特徴とする請求項１記載の肩用サポーター。
【考案の詳細な説明】
【技術分野】
【０００１】
本考案は、人体の肩に痛みがある際に着用して好適な肩用サポーターに関するものである。
【背景技術】
【０００２】
従来から知られている肩用サポーターとしては、例えば特許文献１に開示されているものが挙げられる。この特許文献１に開示されている肩サポーターは胸に装着する胸当て部と肩・腕に装着する肩・腕当て部とに分かれており、肩・腕当て部は、肩部と腕部を備え、その肩部には、肩・腕当て部を胸当て部に付着する面ファスナーなどの付着手段を設けたものであり、部品が胸当て部と肩・腕当て部との２つが必要であり、保管をきちんとしなければ次に使用しようとしたときに片方が紛失したりしているという問題があり、また胸当て部と肩・腕当て部との２つの部品を身体に装着しなければならず、装着に手間がかかるという問題もある。
【特許文献１】特開２００３−２６５６７０号公報
【考案の開示】
【考案が解決しようとする課題】
【０００３】
本考案の目的は、このような課題を解決するものであり、全体が一体に作られており、面ファスナーなどの付着手段が存在せず、身体に対する装着が容易に行なえるようにした肩用サポーターを提供することにある。
【課題を解決するための手段】
【０００４】
本考案の請求項１に記載の肩用サポーターは、よこ編により編地の緯方向に弾性糸が挿入されて編成してなる肩用サポーターであって、この肩用サポーターは身体の一方の肩を覆う肩覆い部と、この肩覆い部の側部に隣接して形成され前記一方の肩に繋がる腕を挿通させる腕通し部と、前記肩覆い部および腕通し部の下側に隣接して形成され一方の脇からそのすぐ下側部分を覆う脇覆い部と、この脇覆い部の下端と同レベルで他方の脇のすぐ下側部分の下端のみを覆うように形成された脇当て部とを備え、脇覆い部の下端とそれに繋がる脇当て部とで下端がほぼ水平に筒状に開口し、他方の脇側の脇当て部と前記肩覆い部との間で斜めに筒状に開口していることを特徴とする。
【０００５】
請求項２に記載の肩用サポーターは、襟と脇を結ぶ線上で縫着されており、この縫着部を境に下側は弾性糸が挿入された編地の緯方向が水平に向き、また縫着部を境に上側は弾性糸が挿入された編地の緯方向が上下に向くように作られていることを特徴とする。
【考案の効果】
【０００６】
以上のように、本考案の肩用サポーターは、全体が一体に作られており、身体に装着するのに面ファスナーなどの付着手段が存在せず、身体に対する装着が容易に行なうことができる。
【考案を実施するための最良の形態】
【０００７】
以下、本考案の一実施の形態を、図１〜図３を用いて具体的に説明する。
図１において、１はよこ編により編成されてなる肩用サポーターで、この肩用サポーター１は身体の一方の肩を覆う肩覆い部２と、この肩覆い部２の側部に隣接して形成され前記一方の肩に繋がる腕を挿通させる半袖の腕通し部３と、前記肩覆い部２および腕通し部３の下側に隣接して形成され一方の脇からそのすぐ下側部分を覆う脇覆い部４と、この脇覆い部４の下端と同レベルで他方の脇のすぐ下側部分の下端のみを覆うように形成された脇当て部５とを備え、脇覆い部４の下端とそれに繋がる脇当て部５とで下端がほぼ水平に筒状に開口し、他方の脇側の脇当て部５と前記肩覆い部２との間で斜めに筒状に開口している。
【０００８】
この肩用サポーター１は、図２に示す編組織からも分かるように各コースのループ部分６とループ部分６との間を繋ぐ糸部７が長くなるようにシンガーの動きにより制御されながら編成されている。８は肩用サポーター１の編地の緯方向に挿入されたカバーリングゴムなどの弾性糸であって、肩用サポーター１全体に亘って１コースづつ飛ばしながら互いに絡んでいる隣り合うコースＡ，Ｂ間で図２矢印イで示すウエール方向における上手側のコースＡの各ループ部分６に沿い且つウエール方向における下手側のコースＢの隣り合うループ部分６とループ部分６との間を繋ぐ糸部７に沿うように蛇行状に絡んだ状態で挿入されている。このように隣り合うコースＡ，Ｂに挿入された弾性糸８はウエール方向における上手側のコースＡの各ループ部分６およびウエール方向における下手側のコースＢの隣り合うループ部分６とループ部分６との間を繋ぐ糸部７に沿うように蛇行状に絡んだ状態となっている。なお、この弾性糸８の伸び率は３〜４倍であって、弾性糸８をほぼ最大伸び率まで引っ張って伸ばしたとき、ループ部分６とループ部分６との間を繋ぐ糸部７が弾性糸８とほぼ平行状態となって、肩用サポーター１の伸び率もほぼ３〜４倍となり、肩用サポーター１の伸縮性が非常に大きくなる。
【０００９】
ところで、上記ウエール方向における下手側のコースＢのループ部分６の山の高さは、ウエール方向における上手側のコースＡの各ループ部分６に沿い且つウエール方向における下手側のコースＢの隣り合うループ部分６とループ部分６との間を繋ぐ糸部７に沿うように弾性糸８を挿入してあることにより低くなっている。
【００１０】
従って、このような編組織を持つ編地を用いて作られてなる肩用サポーター１は襟と脇を結ぶ線上で縫着されており、この縫着部９を境に下側は弾性糸８が挿入された編地の緯方向が水平に向き、また縫着部９を境に上側は弾性糸８が挿入された編地の緯方向が上下に向くように作られている。
【００１１】
なお、本実施の形態において弾性糸８が肩用サポーター１全体に亘って１コースづつ飛ばしながら挿入されているのは、全てのコースに弾性糸８を挿入すると弾性糸８による締め付け力が強くなりすぎるからである。
【００１２】
次に、上記肩用サポーター１の使用形態について述べると、肩用サポーター１を例えば左の肩に合わせて着用する場合は、前記肩覆い部２を左に向けて下着（シャツ）を着たまま下端の開口部より頭から被り、腕通し部３に左腕を通すことにより図３に示すように左肩を覆うように着用することができ、これにより左肩を保温し、サポーター効果を発揮することができる。この肩用サポーター１は前述のように襟と脇を結ぶ線上で縫着されており、この縫着部９を境に下側は弾性糸８が挿入された編地の緯方向が水平に向き、また縫着部９を境に上側は弾性糸８が挿入された編地の緯方向が上下に向くように作られているので、脇覆い部４と肩覆い部２および腕通し部３はその部位に応じた適度の伸縮性を保持し、弾性糸８は肩用サポーター１を形成する糸との絡みが強く、縫着部９において引っ張られても縫着部９から弾性糸８が抜け外れるようなことがない。肩用サポーター１を右の肩に合わせて着用する場合は、前記肩覆い部２を右に向けて上記と同様に着用すれば良く、左右兼用できるものであって、使用に便利であり、両肩に合わせた肩用サポーターをそれぞれ用意する必要がない。
【図面の簡単な説明】
【００１３】
【図１】本考案の一実施の形態における肩用サポーターの斜視図である。
【図２】同肩用サポーターの編組織図である。
【図３】同肩用サポーターを左肩に着用した状態を示す斜視図である。
【符号の説明】
【００１４】
１    肩用サポーター
２    肩覆い部
３    腕通し部
４    脇覆い部
５    脇当て部
６    ループ部分
７    糸部
８    弾性糸
９    縫着部
【図１】
0003122704.tif 000003
【図２】
0003122704.tif 000004
【図３】
0003122704.tif 000005